(57)【要約】【課題】簡単な構造で、介護者が比較的非力な女性ないし子供が一人でも安定して被介護者を安全、容易に固定ベッドから移動ベヅドヘ移動(逆もまた可)させる事が出来る被介護者移動用補助シートを提供する。【解決手段】被介護者を載置ないし包装する被介護者移動用補助シートにおいて、少なくとも端縁部に複数の把手を備え、かつ被介護者を載置する側とは反対の面を滑り面とした。【選択図】図３
2005349191.tif 000002
【特許請求の範囲】
【請求項１】
被介護者を載置ないし包装する被介護者移動用補助シートにおいて、少なくとも端縁部に複数の把手を備え、かつ被介護者を載置する側とは反対の面が滑り面となっていることを特徴とする被介護者移動用補助シート。
【請求項２】
前記滑り面は滑りやすいナイロン系繊維で構成され、かつ被介護者を載置する側は滑り難いコットン系繊維で形成されていることを特徴とする請求項１に記載の被介護者移動用補助シート。
【請求項３】
前記被介護者移動用補助シートは、ベッド等に配設された外装シート上に配置され、さらに該外装シートのうち前記被介護者移動用補助シートが配置される面が滑り面となっていることを特徴とする請求項２に記載の被介護者移動用補助シート。
【請求項４】
前記外装シートの滑り面は滑りやすいナイロン系繊維で構成され、かつベッド等に配設される側は滑り難いコットン系繊維で形成されていることを特徴とする請求項３に記載の被介護者移動用補助シート。
【請求項５】
前記被介護者移動用補助シートは、被介護者をより強力に包装するための分割可能なカバー部および/もしくは１個以上の安全係止部付きベルトを備える請求項１ないし４に記載の被介護者移動用補助シート。
【請求項６】
前記カバー部がベスト状部分胴着であり、前記ベルトの一部が被介護者の頭部、胴部ないし脚部固定用のベルトである請求項５に記載の被介護者移動用補助シート。
【請求項７】
前記被介護者移動用補助シートを、被介護者から離れてこれらを運搬する時には、内側となる前記被介護者補助シートを折り畳んだ折り畳み被介護者移動用補助シートを、前記外装シートでコンパクトに包装可能とした請求項３又は４に記載の被介護者移動用補助シート。
【請求項８】
前記被介護者移動用補助シートの少なくとも一部素材が低反発性ポリゥレタンフォームを含んでなる素材である請求項１ないし７に記載の被介護者移動用補助シート。
【発明の詳細な説明】
【技術分野】
【０００１】
本発明は被介護者移動用補助シートに関し、より詳しくは身体の自由の効かない重病患者、脊髄等の神経系統を病む患者、末期がん患者、高齢者等の介護を、他の介護者の援助が得難い場所であっても原則として介護者一人で介護するのに適した被介護者移動用補助シートに関する。
【背景技術】
【０００２】
従来の技術としては、患者の汗、体液、その他吐瀉物等によるシーツの汚れを、シーツ全部の交換でなく、汚染部のみの巾方向移動、すなわち患者の巾方向移動により、部分交換ないし清拭してこれを解決する手段が提案されている(例えば特許文献１参照)。更には介護者が被介護者を背負い易くするための吊具(ベルト)のついたハーネスが提案されている(例えば特許文献２参照)。
【０００３】
またベッドから他のベッドに患者を移動させるに適した潤滑剤入り患者移動パッドが提案されている(例えば特許文献３)。また患者移動のための吊具ないし移動帯が提案されている(特許文献４参照)。
【０００４】
しかし、これらはすべて少なくとも２名以上の介護者の共同作業を想定しており、家庭で、例えば一人の患者(夫)(被介護者)を一人の介護者(妻ないしヘルパー)が長期介護する場合などは想定してはおらず、現実の困難性は何ら解決されていない。すなわち比較的腕力、体力に劣る女性や老人、特に中高年齢女性などが介護者である場合にも時間帯を問わずに一人で介護が出来るための、軽量、簡単、低廉な装置、用具の開発が未だ実現していないのが実情であった(例えば特許文献５、６、７)。
【０００５】
そこで実際に全身不随の夫の介護を１年以上に亘って唯一人で続けている本発明者は日常の介護生活において、飽きる事無く工夫を重ね、鋭意研究の結果、滑り面を適切に配置する事により、一人の力でも安全確実に被介護者を固定ベッドから移動ベッド(ストレッチャ、車椅子、検査台等をも含む、以下同じ)へ、また逆に移動ベッドから固定ベッドヘの移動を容易可能とする被介護者移動用補助シートの本発明を完成するに至った。
【特許文献１】実用新案公報平５-４６７５４
【特許文献２】特開平４-１２７５３
【特許文献３】特開平６-３３９５００
【特許文献４】公開実用新案公報平１一１２６２２５
【特許文献５】特開平９-１０３４５０
【特許文献６】特開平９-３２７４８０
【特許文献７】特開平９-３８１４０
【発明の開示】
【発明が解決しようとする課題】
【０００６】
簡単な構造で、少数ならば家庭内自作も可能な、被介護者移動用補助シートであって、介護者が比較的非力な女性ないし子供が一人でも出来るよう被介護者移動用補助シートに縫い付けてあるベルト、ベスト状部分胴着等で頭部、胴部、脚部を固定させ、安定して被介護者を安全、容易に固定ベッドから移動ベヅドヘ移動(逆もまた可)させる事が出来るものを提供する事である。
【課題を解決するための手段】
【０００７】
本発明により、
被介護者を載置ないし包装する被介護者移動用補助シートにおいて、少なくとも端縁部に複数の把手を備え、かつ被介護者を載置する側とは反対の面が滑り面となっていることを特徴とする被介護者移動用補助シート (請求項１)、
前記滑り面は滑りやすいナイロン系繊維で構成され、かつ被介護者を載置する側は滑り難いコットン系繊維で形成されていることを特徴とする請求項１に記載の被介護者移動用補助シート(請求項２)、
前記被介護者移動用補助シートは、ベッドに配設された外装シート上に配置され、さらに該外装シートのうち前記被介護者移動用補助シートが配設される面が滑り面となっていることを特徴とする請求項２に記載の被介護者移動用補助シート(請求項３)、
前記外装シートの滑り面は滑りやすいナイロン系繊維で構成され、かつベッドに配設される側は滑り難いコットン系繊維で形成されていることを特徴とする請求項３に記載の被介護者移動用補助シート(請求項４)、
前記被介護者移動用補助シートは、被介護者をより強力に包装するための分割可能なカバー部および/もしくは１個以上の安全係止部付きベルトを備える請求項１ないし４に記載の被介護者移動用補助シート(請求項５)、
前記カバー部がベスト状部分胴着であり、ベルトの一部が被介護者の頭部、胴部ないし脚部固定用のベルトである請求項５に記載の被介護者移動用補助シート(請求項６)、
前記被介護者移動用補助シートを、被介護者から離れてこれらを運搬する時には、内側となる前記被介護者補助シートを折り畳んだ折り畳み被介護者移動用補助シートを、前記外装シートでコンパクトに包装可能とした請求項３又は４に記載の被介護者移動用補助シート(請求項７)、
前記被介護者移動用補助シートの少なくとも一部素材が低反発性ポリゥレタンフォームを含んでなる素材である請求項１ないし７に記載の被介護者移動用補助シート(請求項８)
が提供される。
【発明の効果】
【０００８】
本発明を実施する事により、前記課題がすべて達成される。
【０００９】
すなわち本発明実施により、介護者が女性、子供などの比較的非力な介護者一人であっても、身体自由の効かない被介護者を容易に姿勢変更させる事が出来、かつ着衣やシーツ等の取替え、清拭や、被介護者のベッド間、車椅子やストレッチャ、検査台等への移動等を容易に安定して行えるようになる。
【発明を実施するための最良の形態】
【００１０】
以下に本発明の一実施例を詳細に説明する。
【００１１】
図１は実施例の一部展開平面図、図２は実施例の略全展開平面図、図３は被介護者を載置、包装した実施例の平面図、図４は外装シートの平面図、図５は被介護者移動用補助シートを外装シートで包んだ状態を示す正面図、図６は図５のＣ-Ｃ矢視図、図７は図３のＡ-Ａ矢視図要部であり、図８は補助シート端縁部を持ち上げた状態を示す要部拡大断面図であり、図９〜１３は被介護者を固定ベッドから移動ベッドに移す模様を示す斜視図、図１４〜１６は逆に被介護者を移動ベッドから固定ベッドに移す模様を示す斜視図、図１７は移動ベッドが背もたれ角度を持った車椅子である場合の側面図である。
【００１２】
図１乃至図３において、１００は実施例、２００は被介護者移動用補助シート(以下補助シートと略す)、３００は外装シート、３は横長ハンガー、３Ｂ,５Ｂ,９Ｂ,１１Ｄは縫着部、４は把手、５は頭部固定ベルトとベスト状部分胴着を繋ぐリンクベルト、５Ａ,７Ａ,１０Ａは二環バヅクル(安全係止部)、６はベスト状部分胴着、７は胴部ベルト、７Ｄはベルト通し、９は頭部固定ベルト、９Ｃ,１１Ｃはマジヅクテープ(ＪＩＳ  Ｌ  ３４１６面ファスナ、登録商標マジックテープ)、１０は胴部固定ベルト、１０Ｄは胴部固定ベルトのベルト通し、１１は脚部固定ベルト、１３Ａ,１３Ｂは低反発性ポリゥレタンフォームを含んでなる素材から形成された滑り止めネット、図４において、符号１５は外装シート３００の滑り面、２３,２４はかぶせ係止具、２５は閉じかぶせ、図７以降において、符号５０は被介護者、５５は介護者、５６は介護者の手である。
【００１３】
上述した補助シート２００のうち図３で示すように、被介護者５０を載置する側２００ａ（上面）は滑り難い素材、例えばコットン系繊維で形成されており、その反対側（裏面）、即ち外装シート３００の上面３００ａと接触する側２００ｂ全体は滑り面となって、この滑り面は滑りやすい素材、例えばナイロン系繊維で構成されている。
【００１４】
また、外装シート３００うち、補助シート２００の滑り面である裏面２００ｂと直接接触する上面３００ａ全体は同様に滑りやすい素材、例えばナイロン系繊維で構成され滑り面１５（図４）となっており、また後述するベッド上に直接接触する外装シート３００の裏面３００ｂは滑り難い素材、例えばコットン系繊維で形成されている。
【００１５】
次に、上述した補助シート２００の使用方法を説明する。
【００１６】
固定ベッド上に通常は仰臥している被介護者５０を右側に横臥させ、右側面を下にして立て、身体とベッドの間の隙間へ補助シートを少しづつ指先で押し込み、または丸めたまたは畳んだ補助シートの上面で被介護者５０を転がせて、低い山を越えさせる(丁度シーツ替えの要領)。それが終ると被介護者５０を再び中央部の仰臥状態に戻し、次に介護者が被介護者を移送すべき移動ベッドの方から両手で二つの把手４を両手で握り、例えば図８で示すように、水平に対し６０ないし９０゜の範囲角度αでＹ方向に持ち上げる。次にO゜ないし６０゜の角度βで巾方向(Ｘ方向)へ引っ張る。
【００１７】
実施例の記載から明らかなように本発明である被介護者移動用補助シート２００は、当該補助シート２００と前記外装シート３００の双方を使用する場合もあるが、基本的には図９に示すように、補助シート２００のみを使用し、被介護者を載置した補助シート２００の把手４を介護者が握って引張り、被介護者を固定ベッド５００から移動ベッド６００へ、また移動ベッド６００から固定ベッド５００へ移動させるようにして使用する。
【００１８】
その場合、図９で示すように補助シート２００の裏面２００ｂは滑りやすいナイロン系繊維で構成され滑り面となっているので、補助シート２００と移動ベッド６００との接触面、あるいは補助シート２００と固定ベッド５００との接触面は滑りやすく、このため女性、子供などの比較的非力な介護者一人であっても、簡単な操作で被介護者をベッド間、車椅子やストレッチャ、検査台等への移動等を容易に安定して行えるようになる。
【００１９】
なお、被介護者５０が縦方向(身長方向)に滑り難くすることが必要な場合がある。これは、図１７で示すように、車椅子に変形する移動ベッド７００において、背もたれ角度を水平に対し３０〜９０゜とすると被介護者５０の食事、読書、TV視聴には上半身の着替等には便利であるが、しばしば被介護者５０が体重によって身長方向に滑り、位置決め不安定となるのでこれを防ぐためである。この目的を達成するため、図１７で示すように、補助シート２００の下端部に配設された滑り止めネット１３Ａ,１３Ｂ（図１）をその中間部で折り曲げ、一方の滑り止めネット１３Ａを車椅子７００の下方に密着させて補助シート２００の滑り止めとするとともに、他方の滑り止めネット１３Ｂを被介護者５０の太ももの下に密着させてそのすべりを防止し、さらに補助シード２００の胴部固定ベルト１０を車椅子に変形する移動ベッド７００に巻回させて当該補助シート２００を移動ベッドに固定するようにする。
【００２０】
一方で、図８に示すように、被介護者５０の肩幅方向へ移動する場合は、一旦鉛直成分に近いＹ方向に把手を持ち上げ、後は水平成分に近いＸ方向に引っ張る事により被介護者を載置したまま弱い腕の力でも容易にベッド間移動を行う事が出来る。
【００２１】
この場合、補助シート２００の下面に外装シート３００を配設すると、当該外装シート３００のうち滑りやすいナイロン系繊維で構成され滑り面１５と補助シート２００の滑り面である裏面２００ｂとが接触するため、被介護者を載置したまま弱い腕の力でもより一層、容易にベッド間移動を行う事が出来ることとなる。尚この時、ベッドないし車椅子間に２〜５Ｃmの段差△hを設け、移動先のベヅドないし車椅子の方を低くしておくと位置ポテンシャル差により移動が容易となる(図９)。
【００２２】
なお図１〜３、図１７に示されるように本発明では多数のベルトで被介護者をベッドや車椅子に固定しているので、移動の際でもベッドや車椅子から分離する事がなく安全である。
【００２３】
なお、図１〜３に明らかなように被介護者５０は補助シート２００に対し頭部固定ベルト９、ベスト状部分胴着６,６と胴部固定ベルト１０,１０また脚部固定ベルト１１でしっかりと固定され、足は軟質弾性のプラスチック(エラストマ)ないしゴムでなる滑り止めネット１３Ａ,１３Ｂで軽く支持されるので、補助シートから離脱する心配がない。
【００２４】
また図９のように補助シート２００のみを使用する場合と、図７のように補助シート２００とベッド４００上に配置された外装シート３００とを使用する場合がある。
【００２５】
そして補助シート２００とベッド上に配置された外装シート３００とを使用する場合は、図１０のように固定ベッド５００の上で補助シート２００を、横臥させた被介護者の下に敷き、図１１で示すように、固定ベッド５００と移動ベッド６００の間を出来るだけくっつけて、上にわたした外装シート３００の上を右側に廻った介護者の両手より補助シート２００の把手を引き、巾方向に移動させ、被介護者５０を移動ベッド６００に載置し、そのままでもよいし、再び横臥させて補助シート２００を除去する事も出来る(図１２、１３)。
【００２６】
次に図１４では固定ベッド５００上に乗った介護者５５が補助シート２００の把手を両手で引き固定ベヅド５００に戻す(図１５、１６)ようにしても良い。
【００２７】
上記の場合、いずれも、補助シート２００の下面に外装シート３００を配設し、そして外装シート３００のうち滑りやすいナイロン系繊維で構成され滑り面１５と補助シート２００の滑り面である裏面２００ｂとを接触させつつ移動させるため補助シート２００と外装シート３００との間の摩擦係数は極めて小さく、このため被介護者５０を載置したまま弱い腕の力でもより一層容易にベッド（５００，６００）間等の移動を行う事が出来ることとなる。
【産業上の利用可能性】
【００２８】
本発明は身体的不自由な被介護者の家庭内介護を健常者である介護者一人で全うするための介護用具を提供するためのもので、本発明により安全性を保ちながら大巾な省力化を簡単な介護用具で実現する事が出来る。
【図面の簡単な説明】
【００２９】
【図１】実施例の一部展開平面図。
【図２】実施例の略全展開平面図。
【図３】被介護者を載置、包装した実施例の平面図。
【図４】外装シートの平面図。
【図５】被介護者移動用補助シートを包装した外装シートの正面図。
【図６】図５のＣ-Ｃ矢視図。
【図７】図３のＡ-Ａ矢視図要部。
【図８】補助シート端縁部を持ち上げた状態を示す要部拡大断面図。
【図９】被介護者を固定ベッドから移動ベヅドに移す模様を示す図。
【図１０】被介護者を固定ベヅドから移動ベヅドに移す模様を示す斜視図。
【図１１】被介護者を固定ベヅドから移動ベッドに移す模様を示す斜視図。
【図１２】被介護者を固定ベヅドから移動ベヅドに移す模様を示す斜視図。
【図１３】被介護者を固定ベヅドから移動ベヅドに移す模様を示す斜視図。
【図１４】逆に被介護者を移動ベヅドから固定ベッドに移す模様を示す斜視図。
【図１５】逆に被介護者を移動ベッドから固定ベッドに移す模様を示す斜視図。
【図１６】移動ベッドから固定ベッドに戻す斜視図。
【図１７】移動ベッドが背もたれ角度を持った車椅子である場合の側面図。
【符号の説明】
【００３０】
４…把手
６…ベスト状部分胴着
９…頭部固定用のベルト
１０…胴部固定用のベルト
１１…脚部固定用のベルト
１５…滑り面
５０…被介護者
２００…被介護者移動用補助
２００ｂ…滑り面
３００…外装シート
【図１】
2005349191.tif 000003
【図２】
2005349191.tif 000004
【図３】
2005349191.tif 000005
【図４】
2005349191.tif 000006
【図５】
2005349191.tif 000007
【図６】
2005349191.tif 000008
【図７】
2005349191.tif 000009
【図８】
2005349191.tif 000010
【図９】
2005349191.tif 000011
【図１０】
2005349191.tif 000012
【図１１】
2005349191.tif 000013
【図１２】
2005349191.tif 000014
【図１３】
2005349191.tif 000015
【図１４】
2005349191.tif 000016
【図１５】
2005349191.tif 000017
【図１６】
2005349191.tif 000018
【図１７】
2005349191.tif 000019